(57)【要約】【課題】架空配電線の接続部における電圧階級及び接続形態に係わりなく使用することができる架空配電線用絶縁カバーを提供する。【解決手段】架空配電線用絶縁カバーは、一対の四角形状のカバープレート部１，２が、並列されて展開した状態と一定の間隔をもって平行に対向して閉じた状態となる状態とに方向転換できるように帯状のサイドプレート部３によって内側縁で連結され、接続部材を係止するための複数の突起がカバープレート部１，２の内面に突設されている。突片４ａ，４ｂは、セットされた分岐スリーブ（分岐接続体）１１の端面に１点で当接し、かつ、セットされたジャンパスリーブ１２の側面に片側から当接する第１の位置Ａと、ジャンパスリーブ（直線接続体）１２に接続された電線２０の側面を両側から挟み、かつ、ジャンパスリーブ１２の端面に２点で当接する第２の位置Ｂとに突設されている。【選択図】図３
2010074936.tif 000002
【特許請求の範囲】
【請求項１】
両端部に電線を接続するための分岐接続体又は直線接続体のいずれかの接続部材を中央部にセットし、接続部材に接続された電線を両端部から導出するための一対の四角形状のカバープレート部が、並列されて展開した状態と一定の間隔をもって平行に対向する閉じた状態とに方向転換できるように帯状のサイドプレート部によって内側縁で連結され、接続部材を係止するための複数の突片がカバープレート部の内面に突設されている架空配電線用絶縁カバーにおいて、
前記突片は、セットされた分岐接続体の端面に１点で当接し、かつ、セットされた直線接続体の側面に片側から当接する第１の位置と、直線接続体に接続された電線の側面を両側から挟み、かつ、直線接続体の端面に２点で当接する第２の位置とに突設され、第１の位置と第２の位置は、少なくとも一方のカバープレート部の両端部に設けられていることを特徴とする架空配電線用絶縁カバー。
【請求項２】
前記第２の位置の突片は、間隔がカバープレート部の端縁に向かって拡開するハ字形に突設されていることを特徴とする請求項１に記載の架空配電線用絶縁カバー。
【請求項３】
前記カバープレート部には、前記第２の位置に突設された突片よりも外側に水密部材をセットするための内側壁状部が各端縁に沿って設けられていることを特徴とする請求項１又は２に記載の架空配電線用絶縁カバー。
【請求項４】
前記第２の位置に突設された突片と前記内側壁状部との間に、表面に粘着層を備える発泡体と不定形で粘着性を有するパテとを部分的に帯状に重ね合わせた水密部材がセットされていることを特徴とする請求項３に記載の架空配電線用絶縁カバー。
【請求項５】
分岐接続体に並列して接続された２本の電線を囲繞し、両電線間の隙間を埋める粘着性を有するパテと、該パテを介して２本の電線を保持する分岐用水密スペーサと、該分岐用水密スペーサとカバーとの間に介在する水密部材が備えられていることを特徴とする請求項１ないし３のいずれか１項に記載の架空配電線用絶縁カバー。
【請求項６】
前記各カバープレート部の外側縁には、突条が内向きに突設されていることを特徴とする請求項１から５のいずれか１項に記載の架空配電線用絶縁カバー。
【請求項７】
前記少なくとも一方のカバープレート部の外側縁に、不定形で粘着性を有するパテが添着されていることを特徴とする請求項１ないし６のいずれか１項に記載の架空配電線用絶縁カバー。
【請求項８】
少なくとも一方のカバープレート部の外側縁に把持部が突設されていることを特徴とする請求項１ないし７のいずれか１項に記載の架空配電線用絶縁カバー。
【請求項９】
請求項５ないし８のいずれか１項の架空配電線用絶縁カバーに、一端に１本の電線を接続し、他端に２本の電線を接続した分岐接続体をセットした架空配電線の組立構造であって、
前記分岐用水密スペーサが粘着性を有するパテを介して２本の電線を分岐接続体付近で囲繞し、平行に対向して閉じた状態とされた一対のカバープレート部と分岐用水密スペーサとの間及び該一対のカバープレート部と１本の電線との間に水密部材が密着していることを特徴とする架空配電線の組立構造。
【請求項１０】
請求項１に記載の少なくとも一方のカバープレート部の外側縁に把持部が突設され、両カバープレートの両端部に水密部材がセットされている架空配電線用絶縁カバーに、一方に１本の電線を接続し、他方に２本の電線を並列して接続した分岐接続体をセットする架空配電線用絶縁カバーの取付方法であって、
分岐接続体付近で２本の電線を、パテを介して分岐用水密スペーサによって囲繞し、カバープレート部の外側となる部位で２本の電線をバインド線によって結束し、展開された状態の一方のカバープレート部の把持部を把持工具によって把持し、該一方のカバープレート部を前記分岐接続体にアプローチし、１本の電線の分岐接続体付近と前記分岐用水密スペーサとをそれぞれカバープレート部の各端部にセットされた水密部材上に位置させ、他方のカバープレート部を方向転換することによって両カバープレート部を閉じた状態とすることを特徴とする架空配電線用絶縁カバーの取付方法。
【請求項１１】
展開した状態から二つ折りの状態に変形可能とされ、二つ折りの状態で一端部が他端部から突出する把持部とされた分岐用水密スペーサを使用する請求項１０に記載の架空配電線用絶縁カバーの取付方法であって、
展開された状態で内面にパテを添着した分岐用水密スペーサの把持部を把持工具により把持し、該分岐用水密スペーサを分岐接続体付近の２本の電線に沿わせ、別の把持工具により分岐用水密スペーサを二つ折りにし、カバープレート部の外側となる部位で２本の電線をバインド線によって結束し、二つ折りにされた分岐用水密スペーサを強く締め付けた上で分岐用水密スペーサの把持部を捩り切ることを含んでいることを特徴とする請求項１０に記載の架空配電線用絶縁カバーの取付方法。
【発明の詳細な説明】
【技術分野】
【０００１】
本発明は、架空配電線の接続部や分岐部などを覆う架空配電線用カバー、この架空配電線用カバーを用いた架空配電線の組立構造及び架空配電線用絶縁カバーの取付方法に関し、詳しくは、並列されて展開した状態と一定の間隔をもって平行に対向する閉じた状態とに方向転換する一対のカバープレート部を有する架空電線用絶縁カバー、一対のカバープレート部の中央部に、電線を接続した接続部材をセットした架空配電線の組立構造及び架空配電線用絶縁カバーの取付方法に関する。
【背景技術】
【０００２】
電柱などに架設された架空配電線の引留部や分岐部などは、両端部に電線を接続するための接続部材によって接続され、この接続部材が架空電線用絶縁カバー（以下、主として「絶縁カバー」という。）によって覆われている。例えば特許文献１には、図８に示すような絶縁カバーが開示されている。
【０００３】
この絶縁カバーは、ほぼ長方形の一対のカバー部材１１１，１１２が並列され、このカバー部材１１１，１１２の対向している内側の長辺部に帯状のヒンジ１１３が連結されることにより、各カバー部材１１１，１１２が開閉自在とされている。そして、一方のカバー部材１１１の外側の長辺部には、所要数の係合片１１４が形成され、他方のカバー部材１１２の外側の長辺部には、所要数の係合孔１１５が形成され、この係合片１１４と係合孔１１５とが係着自在とされている。また、カバー部材１１１，１１２の内面には、接続部材を支持する複数の弾性突片１１６が設けられている。
【０００４】
この絶縁カバーは、一対のカバー部材１１１，１１２が開いた状態において、架空配電線と分岐線との接続部が弾性突片１１６に宛がわれつつ外嵌され、そして、両カバー部材１１１，１１２を閉じた状態とし、係合片１１４と係合孔１１５とを係合することによって組み立てられる。
【０００５】
【特許文献１】特開平１１−３１８０１５号公報
【発明の開示】
【発明が解決しようとする課題】
【０００６】
架空配電線の接続部においては、電圧階級及び接続形態に応じて、専用の絶縁カバーが使用され、絶縁カバー内に接続部材がセットされている。しかし、接続部材は種々の形態のものが提供されており、架空配電線の分岐部においては分岐スリーブや分岐コネクタが使用され、引留部では分岐スリーブ又はジャンパスリーブが使用されている。
【０００７】
したがって、絶縁カバーは、各種の接続部材に適合するように、多品種が製造され、事業者は多種類の絶縁カバーを多数保管し、多数保管されている中から使用状況に合わせて適宜選択する。しかし、絶縁カバーを多品種製造することは、コストアップの一因となり、また、多数保管することは、在庫管理や準備作業が面倒になる。
【０００８】
そこで、本発明は、架空配電線の接続部における電圧階級及び接続形態に係わりなく使用することができる架空配電線用絶縁カバーを提供することを課題とする。
【課題を解決するための手段】
【０００９】
本発明に係る架空配電線用絶縁カバーは、両端部に電線を接続するための分岐接続体又は直線接続体のいずれかの接続部材を中央部にセットし、接続部材に接続された電線を両端部から導出するための一対の四角形状のカバープレート部が、並列されて展開した状態と一定の間隔をもって平行に対向する閉じた状態とに方向転換できるように帯状のサイドプレート部によって内側縁で連結され、接続部材を係止するための複数の突片がカバープレート部の内面に突設されている架空配電線用絶縁カバーにおいて、前記突片は、セットされた分岐接続体の端面に１点で当接し、かつ、セットされた直線接続体の側面に片側から当接する第１の位置と、直線接続体に接続された電線の側面を両側から挟み、かつ、直線接続体の端面に２点で当接する第２の位置とに突設され、第１の位置と第２の位置は、少なくとも一方のカバープレート部の両端部に設けられていることを特徴としている。
【００１０】
この架空配電線用絶縁カバーによれば、並列されて展開した状態の一方のカバープレート部の中央部に電線を接続した接続部材をセットし、他方のカバープレート部を一方のカバープレート部と平行に対向する閉じた状態に方向転換し、閉じた状態にして使用するが、突片が第１の位置の１か所と第２の位置の２か所とに突設され、第１の位置と第２の位置がカバープレート部の両端部に設けられていることにより、接続部材が両端部に電線を接続するための筒状、Ｓ形、Ｂ形、Ｃ形、Ｚ形、Ｌ形などの分岐スリーブや分岐コネクタであってもジャンパスリーブであってもセットすることができる。
【００１１】
すなわち、分岐接続体は、各端面から２本の電線を並列して導出することができるように広い幅で、直線接続体よりも短いものであるため、第１の位置の突片の内端が分岐接続体の端面に１点で当接し、そして、第２の位置の２片の突片が分岐接続体に接続された電線を両側から挟むことによって、位置決めされる。なお、直線接続体の一端に２本の電線が並列して接続されていると、第１の位置の突片が２本の電線の間に挟まれることによっても位置決めされる。
【００１２】
また、直線接続体は、各端面から１本の電線が導出されるものであり、しかも、分岐接続体よりも細くて長いものであるため、第２の位置の突片の内端が直線接続体の端面に２点で当接し、そして、第１の位置の突片が直線接続体の側面に片側から当接することによって、位置決めされる。
【００１３】
また、前記本発明に係る架空配電線用絶縁カバーにおいて、前記第２の位置の突片は、間隔がカバープレート部の端縁に向かって拡開するハ字形に突設されていることが好ましい。
【００１４】
この架空配電線用絶縁カバーによれば、電線の心線が絶縁被覆体から突出している皮剥部が直線接続体の各端面に隣接した箇所で露出している場合において、第２の位置の２片の突片は、内端が皮剥部の心線を挟む状態で直線接続体の端面に２点で当接し、２片の突片の中間部が絶縁被覆体のエッジに当接することによって直線接続体を位置決めすることができる。また、第２の位置の外側の突片は、使用時において下側に位置し、外端側が下向きとなることにより、撓曲した電線をこの外側の突片に沿わせることができる。
【００１５】
また、前記本発明に係る架空配電線用絶縁カバーにおいて、前記カバープレート部には、前記第２の位置に突設された突片よりも外側に水密部材をセットするための内側壁状部が各端縁に沿って設けられていることが好ましい。
【００１６】
この架空配電線用絶縁カバーによれば、第２の位置に突設された突片と内側壁状部との間に水密部材をセットすることができ、水密部材をセットすることにより、電線を接続した分岐接続体をセットし、両カバープレート部が閉じた状態とされた架空電線用絶縁カバー内の水密性を確保し、また塵芥などが浸入しないようにする（以下、単に「水密性を確保する」とのみ説明する。）ことができる。
【００１７】
また、前記本発明に係る架空配電線用絶縁カバーにおいて、前記第２の位置に突設された突片と前記内側壁状部との間に、表面に粘着層を備える発泡体と不定形で粘着性を有するパテとを部分的に帯状に重ね合わせた水密部材がセットされていることができる。
【００１８】
この架空配電線用絶縁カバーによれば、水密部材が発泡体とパテとを部分的に帯状に重ね合わされたものとされ、発泡体の表面に粘着層が備えられることにより、発泡体を仮固定した状態でセットし、そしてセット後に位置ずれしないで一対のカバープレート部を閉じることができる。さらに、一対のカバープレート部が閉じられた状態において、パテが電線と密着し、水密性を確保することができる。
【００１９】
また、前記本発明に係る架空配電線用絶縁カバーにおいて、分岐接続体に並列して接続された２本の電線を囲繞し、両電線間の隙間を埋める粘着性を有するパテと、該パテを介して２本の電線を保持する分岐用水密スペーサと、該分岐用水密スペーサとカバーとの間に介在する水密部材が備えられていることが好ましい。
【００２０】
この架空配電線用絶縁カバーによれば、２本の電線の間隔が狭くても、粘着性を有するパテによって隙間が埋められ、２本の電線がパテを介して分岐用水密スペーサによって保持され、そして分岐用水密スペーサと閉じられた状態のカバーとの間に水密部材が介在することによって、２本の電線が狭い間隔で導出されていても、架空電線用絶縁カバー内の水密性を確保することができる。
【００２１】
また、前記本発明に係る架空配電線用絶縁カバーにおいて、前記各カバープレート部の外側縁には、突条が内向きに突設されていることが好ましい。
【００２２】
この架空配電線用絶縁カバーによれば、一対のカバープレート部が閉じられた状態において、各突条の頂部同士又は側面部同士が重なり合って、閉鎖した状態とすることができる。
【００２３】
また、前記本発明に係る架空配電線用絶縁カバーにおいて、前記少なくとも一方のカバープレート部の外側縁に、不定形で粘着性を有するパテが添着されていることが好ましい。
【００２４】
この架空配電線用絶縁カバーによれば、少なくとも一方のカバープレート部の外側縁に添着されて不定形で粘着性を有するパテによって、両カバープレート部の外側縁の部位の水密性を確保することができる。
【００２５】
また、前記本発明に係る架空配電線用絶縁カバーにおいて、少なくとも一方のカバープレート部の外側縁に把持部が突設されていることが好ましい。
【００２６】
この架空配電線用絶縁カバーによれば、把持部がヤットコなどの把持工具に安定かつ確実に把持される。そして、作業者は、把持工具によって把持部を把持することにより、作業者から離隔している接続部材の施工箇所に絶縁カバーを安定してアプローチすることができる。
【００２７】
また、架空配電線用絶縁カバーに、一端に１本の電線を接続し、他端に２本の電線を接続した分岐接続体をセットした本発明に係る架空配電線の組立構造は、前記分岐用水密スペーサが粘着性を有するパテを介して２本の電線を分岐接続体付近で囲繞し、平行に対向して閉じた状態とされた一対のカバープレート部と分岐用水密スペーサとの間及び該一対のカバープレート部と１本の電線との間に水密部材が密着していることを特徴としている。
【００２８】
この架空配電線の組立構造によれば、狭い間隔の２本の電線は、粘着性を有するパテを介して分岐用水密スペーサによって保持され、平行に対向して閉じた状態とされた一対のカバープレート部の端部と分岐用水密スペーサとの間に水密部材が介在していることにより、２本の電線が導出されている部分の水密性を確保することができる。また、一対のカバープレート部の端部と１本の電線との間に水密部材が密着していることにより、この部分の水密性を確保することができる。
【００２９】
また、本発明に係る架空配電線用絶縁カバーの取付方法は、少なくとも一方のカバープレート部の外側縁に把持部が突設され、両カバープレートの両端部に水密部材がセットされている架空配電線用絶縁カバーに、一方に１本の電線を接続し、他方に２本の電線を並列して接続した分岐接続体をセットする架空配電線用絶縁カバーの取付方法であって、分岐接続体付近で２本の電線を、パテを介して分岐用水密スペーサによって囲繞し、カバープレート部の外側となる部位で２本の電線をバインド線によって結束し、展開された状態の一方のカバープレート部の把持部を把持工具によって把持し、該一方のカバープレート部を前記分岐接続体にアプローチし、１本の電線の分岐接続体付近と前記分岐用水密スペーサとをそれぞれカバープレート部の各端部にセットされた水密部材上に位置させ、他方のカバープレート部を方向転換することによって両カバープレート部を閉じた状態とすることを特徴としている。
【００３０】
この架空配電線用絶縁カバーの取付方法によれば、分岐接続体に接続された２本の電線がパテを介して分岐用水密スペーサによって囲繞された後、把持工具が一方のカバープレート部の把持部を把持し、この一方のカバープレート部が作業者から離隔している分岐接続体の施工箇所にアプローチされ、他方のカバープレート部が方向転換されることにより、遠隔作業によって架空配電線用カバーが架空配電線の接続部を覆うようにすることができる。なお、２本の電線がカバープレート部の外側となる部位でバインド線によって結束されることにより、２本の電線が離間せず、したがって、分岐用水密スペーサが２本の電線を囲繞した状態を維持することができる。
【００３１】
また、前記本発明に係る架空配電線用絶縁カバーの取付方法において、展開した状態から二つ折りの状態に変形可能とされ、二つ折りの状態で一端部が他端部から突出する把持部とされた分岐用水密スペーサを使用し、展開された状態で内面にパテを添着した分岐用水密スペーサの把持部を把持工具により把持し、該分岐用水密スペーサを分岐接続体付近の２本の電線に沿わせ、別の把持工具により分岐用水密スペーサを二つ折りにし、カバープレート部の外側となる部位で２本の電線をバインド線によって結束し、二つ折りにされた分岐用水密スペーサを強く締め付けた上で分岐用水密スペーサの把持部を捩り切ることを含んでいることが好ましい。
【００３２】
この架空配電線用絶縁カバーの取付方法によれば、展開した状態から二つ折りの状態に変形可能とされ、二つ折りの状態で一端部が他端部から突出する把持部とされた分岐用水密スペーサを使用することにより、分岐用水密スペーサを遠隔作業によって２本の電線に囲繞することができる。
【発明の効果】
【００３３】
本発明によれば、セットされた分岐接続体の端面に当接し、かつ、セットされた直線接続体の側面に当接する第１の位置の１か所と、直線接続体に接続された電線を挟み、かつ、直線接続体の端面に当接する第２の位置の２か所とに突片を突出した架空配電線用絶縁カバー、架空配電線の組立構造及び架空配電線用絶縁カバーの取付方法が提供されることにより、接続部材が分岐接続体であっても直線接続体であってもセットすることができる。したがって、本発明は、製品のコストダウンや在庫管理や準備作業の負担を軽減することができる。
【発明を実施するための最良の形態】
【００３４】
本発明に係る架空配電線用絶縁カバー（以下、主として「絶縁カバー」という。）、架空配電線の組立構造及び架空配電線用絶縁カバーの取付方法の一実施形態について図１ないし図７を参照しながら説明する。
【００３５】
この絶縁カバーは、図１に示すように、一対の四角形状のカバープレート部１，２が並列された状態と、図２に示すように、一定の間隔をもって平行に対向して閉じた状態とに方向転換することができるように、帯状のサイドプレート部３によって内側縁で連結され、これら１，２，３が一体化されている。そして、各カバープレート部１，２の内面の両端部１ａ，１ａ，２ａ，２ａには、接続部材１１，１２を位置決めするための複数の突片４ａ，４ｂが突設されている。接続部材１１，１２は、両端部に電線を接続するための筒状、Ｓ形、Ｂ形、Ｃ形、Ｚ形、Ｌ形などの分岐スリーブや分岐コネクタであってもジャンパスリーブであっても使用することができるが、ここでは、分岐スリーブ１１とジャンパスリーブ１２として説明する。
【００３６】
なお、分岐スリーブ１１は、図３に示すように、２本の電線２０，２０を並列して接続することができるように、ジャンパスリーブ１２よりも広い幅で、ジャンパスリーブ１２よりも短いものとされている。また、ジャンパスリーブ１２は、図６に示すように、分岐スリーブ１１よりも細くて長いものとされている。
【００３７】
そして、突片４ａ，４ｂは、セットされた分岐スリーブ１１の端面に１点で当接し、かつ、セットされたジャンパスリーブ１２の側面に片側から当接する第１の位置Ａと、ジャンパスリーブ１２に接続された電線２０の側面を両側から挟み、かつ、ジャンパスリーブ１２の端面に２点で当接する第２の位置Ｂとに突設されている。この第１の位置Ａと第２の位置Ｂは、カバープレート部１，２の各端部１ａ，１ａ，２ａ，２ａに設けられている。
【００３８】
そして、一方の第１の位置Ａの突片４ａと他方の第１の位置Ａの突片４ａの間隔は、分岐スリーブ１１の長さと同じとされている。また、一方の第２の位置Ｂの突片４ｂと他方の第２の位置Ｂの突片４ｂの間隔は、ジャンパスリーブ１２の長さと同じとされている。
【００３９】
そして、第２の位置Ｂの突片４ｂ，４ｂは、間隔がカバープレート部１，２の端縁１ｂ，２ｂに向かって拡開するハ字形に対向するように突設されている。この第２の位置Ｂの突片４ｂ，４ｂの内側端の間隔は、電線２０の絶縁被覆体２１から突出している心線２２の直径と同じとされている。また、第２の位置Ｂの突片４ｂ，４ｂの中間部が、電線２０の絶縁被覆体２１のエッジに当接するようにされている。
【００４０】
このような各突片４ａ,４ｂの高さは、接続部材１１，１２の高さの半分とされ、各突片４ａ，４ｂが両カバープレート部１，２に突設されることにより、各突片４ａ，４ｂが分岐スリーブ１１の端面を上下から挟み、また、電線２０を上下から挟むようにされている。なお、各突片４ａ，４ｂの高さを接続部材１１，１２の高さと同じとすることにより、一方のカバープレート部１にのみ突片４ａ，４ｂを突設するようにしてもよい。
【００４１】
そして、各カバープレート部１，２の各端縁１ｂ，２ｂに沿って、第２の位置Ｂの突片４ｂとの間に水密部材５をセットするための内側壁状部６が設けられている。内側壁状部６は、柔軟な短冊状の可撓片６ａ，６ａ，…を多数１列に配置して形成される。また、一方のカバープレート部１に設けられた内側壁状部６と他方のカバープレート部２に設けられた内側壁状部６とは、厚さ分だけずれて対向し、頂部同士が当接しないようにされている。
【００４２】
そして、第２の位置Ｂの突片４ｂと内側壁状部６との間にセットされる水密部材５は、弾力性を有している帯状の発泡体５ａと、不定形で粘着性を有しているパテ５ｂとを一部分において帯状に重ね合わせたものである。発泡体５ａは、難燃性のポリエチレンなどによって所定の形状に形成され、表面（カバープレート部１，２に重ね合わされる面）に粘着層が備えられ、第２の位置Ｂの突片４ｂの外端縁と内側壁状部６との間に貼着される。また、パテ５ｂは、第２の位置Ｂの突片４ｂの中間部から内側壁状部６よりも内側の部分に配置される。
【００４３】
したがって、水密部材５は、一部分において発泡体５ａとパテ５ｂとが帯状に重なり合う２層とされている（重なり合っている部分を濃い網点で図示する。）。なお、発泡体５ａの表面に粘着層が備えられることにより、発泡体５ａをカバープレート部１，２にセットするときに仮固定することができ、また、セット後において、位置ずれしないで一対のカバープレート部１，２を閉じることができる。そして、一対のカバープレート部が閉じられた状態において、パテ５ｂとパテ５ｂとが電線２０と密着し、水密性を確保することができる。
【００４４】
また、分岐スリーブ１１に２本の電線２０，２０が並列して接続されている場合は、水密性を確保するため、図３（ｃ）に示すように、２本の電線２０，２０間及び周囲が粘着性を有する粘状のパテ７ａによって囲繞され、このパテ７ａが分岐用水密スペーサ７ｂによって保持される。
【００４５】
分岐用水密スペーサ７ｂは、例えばブチルゴム系パテ材又はオレフィン系シール材などの柔軟性のある樹脂によって形成され、平坦な状態から二つ折りの状態に変形可能とされている。そして、分岐用水密スペーサ７ｂには、二つ折りの状態とされたときに、パテ７ａを２本の電線２０，２０間の隙間に充填させるための突起部が設けられている。また、分岐用水密スペーサ７ｂは、二つ折りの状態で一端部が他端部から突出し、この一端部がヤットコなどの把持工具により電線への装着を行うための把持部（図示せず）とされている。この把持部は、分岐用水密スペーサ７が２本の電線２０，２０を結束した後に捩じ切られて切除される。
【００４６】
そして、各カバープレート部１，２の各端縁１ｂ，２ｂには、鳥や虫などが内部に侵入しないようにするための外側壁状部８が設けられている。外側壁状部８も、柔軟な短冊状の可撓片８ａ，８ａ，…を多数１列に配置して形成される。
【００４７】
そして、各カバープレート部１，２の外側縁１ｃ，２ｃには、突条９，９が設けられている。一方のカバープレート部１の突条９と他方のカバープレート部２の突条９，９とが噛み合うように一方のカバープレート部１の突条９の頂部には段差が設けられている。また、この突条９には表面に不定形で粘着性を有するパテ５ｃが添着され、カバープレート部１，２が閉じた状態において、外側縁１ｃ，２ｃの水密性を確保するようにされている。
【００４８】
そして、一方のカバープレート部１の両端縁１ｂ，１ｂであってサイドプレート部３に隣接する部分には、図１に示すように、半閉留用の係合部１ｄ，１ｄが突設されている。また、他方のカバープレート部２の両端縁２ｂ，２ｂであってサイドプレート部３に隣接する部分には、半閉用の係合孔２ｄ，２ｄを形成した突片２ｅ，２ｅが突設されている。この係合部１ｄ，１ｄと係合孔２ｄ，２ｄとが係合することによって、両カバープレート部１，２が半閉された状態を維持するようにされている。
【００４９】
そして、一方のカバープレート部１の外側縁１ｃの中心部と両端部とには、それぞれ仮止用孔１ｆと係合孔１ｇ，１ｇとが設けられ、他方のカバープレート部２の外側縁２ｃの中心部と両端部とには、それぞれ仮止用突起１ｆと係合突起１ｇ、１ｇとに係合する仮止用突起２ｆと係合突起２ｇ，２ｇとが設けられている。さらに、他方のカバープレート部２の外側縁２ｃの一方の係合突起１ｇに隣接してヤットコなどの把持工具により安定かつ確実に、作業者から離隔した施工箇所にアプローチするための把持部２ｈが設けられている。この把持部２ｈによって、遠隔から絶縁カバーを安定して施工箇所にアプローチすることができる。
【００５０】
この絶縁カバーは、以上のように構成され、次に、分岐スリーブ１１とジャンパスリーブ１２とをセットする場合について個別に説明する。ただし、いずれの場合においても、両カバープレート部１，２の第２の位置Ｂの突片４ｂ，４ｂと内側壁状部６との間に粘着層を備える発泡体５ａが予めセットされ、一方のカバープレート部１の突条９に沿ってパテ５ｃが予めセットされ、さらに、粘着性を有しているパテ５ｂが両カバープレート部１，２の両端部１ａ，２ａの部分の発泡体５ａと帯状に部分的に重ね合わされている。
【００５１】
そして、分岐スリーブ１１の一方に１本の電線２０を接続し、他方に２本の電線２０，２０を接続した場合（第１例）は、図３に示すように、２本の電線２０，２０がパテ７ａを介して展開した状態から二つ折りにされた分岐用水密スペーサ７ｂによって保持され、２本の電線２０，２０間の隙間がパテ７ａによって埋められている。
【００５２】
この分岐用水密スペーサ７ｂは、展開した状態で内面にパテ７ａが添着され、把持部がヤットコなどの把持工具（図示せず）に把持され、作業者から離隔している２本の電線２０，２０の分岐スリーブ１１付近に沿わされる。そして、別のヤットコなどの把持工具によって二つ折りとされ、パテ７ａを介して２本の電線２０，２０を囲繞し、緩めに結束する。ヤットコなどの把持工具は、把持部を把持することによって汚れないようにされている。
【００５３】
そして、カバープレート部１，２の外側となる部位で２本の電線２０，２０をバインド線３０によって結束する。２本の電線２０，２０がカバープレート部１，２の外側となる部位でバインド線３０によって結束されることにより、２本の電線２０，２０が離間せず、したがって、分岐用水密スペーサ７ｂが２本の電線２０，２０を囲繞し、結束した状態を維持することができる。その後、二つ折りにされた分岐水密スペーサ７ｂを強固に結束し、把持部は捩り切られて切除される。
【００５４】
そして、他方のカバープレート部２の把持部２ｈがヤットコなどの把持工具（図示せず）に把持されることによって、他方のカバープレート部２が作業者から離隔した施工箇所である分岐スリーブ１１にアプローチされる。そして、１本の電線２０の分岐スリーブ１１付近と、分岐用水密スペーサ７ｂとを他方のカバープレート部２にセットされた水密部材５、すなわち、発泡体５ａ及びパテ５ｂ上に位置させる。
【００５５】
すると、図３（ａ）に示すように、第１の位置Ａの突片４ａが分岐スリーブ１１の端面に１点で当接する。また、２本の電線２０，２０間に第１の位置Ａの突片４ａが挟まれた状態となる。さらに、第２の位置Ｂの突片４ｂ，４ｂが電線２０の絶縁被覆体２１を挟む状態となる。このようにして、分岐スリーブ１１が位置決めされた状態にセットされる。
【００５６】
そして、他方のカバープレート部２を一方のカバープレート部１と平行に対向するように方向転換することにより、閉じた状態とすると架空配電線の組立構造となる。詳しく説明すると、ヤットコなどの把持工具が他方のカバープレート部２の把持部２ｈを把持しながら、半閉留用の係合部１ｄ，１ｄと半閉用の係合孔２ｄ，２ｄとを係合し、仮止用孔１ｆと仮止用突起２ｆとを係合する。
【００５７】
そして、係合孔１ｇ，１ｇと係合突起２ｇ，２ｇとを係合することによって両カバープレート部１，２が閉じられた状態の組立構造となる。なお、以下の第２例ないし第５例も第１例と同じ方法によって組立構造が組み立てられる。この組立構造は、閉じられた状態のカバープレート部１，２の両端部から電線２０，２０，２０が導出されるが、内側壁状部６と外側壁状部８の可撓片６ａ，８ａが電線２０に沿って撓曲し、電線２０が導出されていない部分は、可撓片６ａ，８ａ，…同士が重なり合って密閉された状態となる。
【００５８】
また、一方のカバープレート部１にセットされた水密部材５と他方のカバープレート部２にセットされた水密部材５とが１本の電線２０を挟んで重なり合う。水密部材５，５が弾力性を有し、また、パテ５ｂが不定形で粘着性を有していることから、カバープレート部１，２の両端部１ａ，２ａは、水密性が確保されている。さらに、両カバープレート部１，２に突設された突条９，９同士がパテ５ｃを挟んで重なり合うため、カバープレート部１，２の外側縁１ｃ，２ｃの水密性も確保される。さらに、２本の電線２０，２０と両カバープレート部１，２との間には、パテ７ａ、分岐用水密スペーサ７ｂ、パテ５ｂ、発泡体５ａが介在しているため、この部分の水密性も確保されている。
【００５９】
この分岐スリーブ１１には、一方に１本の電線２０が接続され、他方に２本の電線２０，２０が接続されているが、２本の電線２０，２０の内、下側の電線２０は、図４に示すように、撓曲した状態とすることができる（第２例）。この場合は、２本の電線２０，２０の間隔が平行に導出された場合よりも広くなっているため、２本の電線２０，２０を分岐用水密スペーサ７によって保持しなくても、水密部材５だけでも２本の電線２０，２０間に隙間が生じないようにすることができる。ただし、この第２例においても、２本の電線２０，２０が分岐用水密スペーサ７によって保持されるようにしてもよい。
【００６０】
また、分岐スリーブ１１は、図５に示すように、電線２０を１本ずつ段違いの状態に接続することもできる（第３例）。この場合も、第１の位置Ａの突片４ａが分岐スリーブ１１の端面に１点で当接する。そして、一方の第２の位置Ｂの突片４ｂ，４ｂが電線２０の絶縁被覆体２１を挟む状態となり、分岐スリーブ１１が位置決めされる。この場合も、カバープレート部１，２の両端部１ａ，２ａ及び外側縁１ｃ，２ｃは、水密部材５によって水密性が確保される。
【００６１】
次に、ジャンパスリーブ１２に接続された電線２０を直線状に導出する場合（第４例）について図６を参照しながら説明する。ジャンパスリーブ１２は、分岐スリーブ１１よりも細くて長いものである。また、電線２０は、心線２２が絶縁被覆体２１から突出し、皮剥部２３がジャンパスリーブ１２の各端面に隣接した箇所で露出している。
【００６２】
このようなジャンパスリーブ１２及び電線２０を他方のカバープレート部２にセットすると、第２の位置Ｂの２片の突片４ｂ，４ｂの内端が電線２０の皮剥部２３の部分の心線２２を挟む状態でジャンパスリーブ１２の端面に２点で当接し、この２片の突片４ｂ，４ｂの中間部が電線２０の絶縁被覆体２１のエッジに当接する状態に電線２０を挟む。また、第１の位置Ａの突片４ａがジャンパスリーブ１２の側面に片側から当接する。このようにして、ジャンパスリーブ１２が位置決めされる。
【００６３】
そして、両カバープレート部１，２が平行に対向するように方向転換し、閉じた状態とすることにより、架空配電線の組立構造を組み立てる。この組立構造も、両端部１ａ，２ａにおいて水密部材５が電線２０を挟む状態となり、また、外側縁１ｃ，２ｃの突条９も水密部材５を挟む状態となり、それぞれ水密性が確保される。
【００６４】
このようなジャンパスリーブ１２に接続された電線２０は、図７に示すように、撓曲した状態でカバープレート部１，２の両端部１ａ，２ａから導出することができる（第５例）。この電線２０は、第２の位置Ｂの外側の突片４ｂに沿って撓曲した状態となり、電線２０に加えられる負荷がこの突片４ｂにも分散される。
【００６５】
なお、本発明は、前記実施の形態に限定することなく種々変更することができる。例えば、第２の位置Ｂの２片の突片４ｂ，４ｂは、ハ字形でなく、平行に突設したものとしてもよい。また、水密部材５をセットするための内側壁状部６や突条９をカバープレート部１，２に設けることなく、接着剤などによって水密部材５をカバープレート部１，２に固定してもよい。
【００６６】
また、水密部材５は、発泡体５ａとパテ７ａとを組み合わせたものでなく、両機能を備えた材質のものを一つで構成してもよい。さらに、カバープレート部１，２が水密部材として機能する材質で形成される場合は、前記の水密部材５を備えなくてもよい。
【００６７】
また、前記実施の形態では、分岐スリーブ１１とジャンパスリーブ１２とをセットする場合について説明したが、架空配電線の引下接続部分や直線接続部分においても実施することができ、この場合は、それぞれ専用の接続部材が使用される。
【図面の簡単な説明】
【００６８】
【図１】本発明に係る架空配電線用絶縁カバーの一実施形態であって、展開した状態を示す平面図である。
【図２】本発明に係る架空配電線用絶縁カバーの一実施形態であって、閉じた状態を示す斜視図である。
【図３】本発明に係る架空配電線用絶縁カバーを使用して接続部材をセットした架空配電線の組立構造の第１例であって、（ａ）は断面正面図、（ｂ）は正面図、（ｃ）は（ｂ）のＸ−Ｘ線断面図である。
【図４】本発明に係る架空配電線用絶縁カバーを使用して接続部材をセットした架空配電線の組立構造の第２例であって、（ａ）は断面正面図、（ｂ）は正面図である。
【図５】本発明に係る架空配電線用絶縁カバーを使用して接続部材をセットした架空配電線の組立構造の第３例であって、（ａ）は断面正面図、（ｂ）は正面図である。
【図６】本発明に係る架空配電線用絶縁カバーを使用して接続部材をセットした架空配電線の組立構造の第４例であって、（ａ）は断面正面図、（ｂ）は正面図である。
【図７】本発明に係る架空配電線用絶縁カバーを使用して接続部材をセットした架空配電線の組立構造の第５例であって、（ａ）は断面正面図、（ｂ）は正面図である。
【図８】従来の架空配電線用絶縁カバーを示す斜視図である。
【符号の説明】
【００６９】
１………カバープレート部
１ａ……端部
１ｂ……端縁
１ｃ……外側縁
２………カバープレート部
２ａ……端部
２ｂ……端縁
２ｃ……外側縁
３………サイドプレート部
４ａ……突片
４ｂ……突片
５………水密部材
５ａ……発泡体
５ｂ……パテ
６………内側壁状部
７ａ……パテ
７ｂ……分岐用水密スペーサ
９………突条
１１……分岐スリーブ（分岐接続体、接続部材）
１２……ジャンパスリーブ（直線接続体、接続部材）
２０……電線
３０……バインド線
Ａ………第１の位置
Ｂ………第２の位置
【図１】
2010074936.tif 000003
【図２】
2010074936.tif 000004
【図３】
2010074936.tif 000005
【図４】
2010074936.tif 000006
【図５】
2010074936.tif 000007
【図６】
2010074936.tif 000008
【図７】
2010074936.tif 000009
【図８】
2010074936.tif 000010